(57)【要約】【課題】屋外側の堰板の型バラシを不要とし、断熱パネル３のコンクリート、モルタルとの付着力を補強する締付具を不要とし、耐火性能の向上可能な外断熱工法を提供すること。【解決手段】コンクリート壁３１を構築する際に、補強リブ１で補強された断熱パネル３を屋外側の堰板として型枠を形成し、この型枠内にコンクリートを打設した後に、断熱パネル３を型バラシするこなくその表面に仕上材としてのモルタル又はモルタルを介したタイルを固着する外断熱工法であって、補強リブ１を無機質のセメントを主体とした硬質木毛セメント、無機質のガラス繊維及びセメントを主体としたグラスファイバ強化コンクリートの一方からなる補強リブで形成し、断熱パネル３を無機質の炭酸カルシウム発泡板、気泡コンクリート板の一方で形成する。【選択図】　図１
2004137766.tif 000002
【特許請求の範囲】
【請求項１】
コンクリート壁（３１）を構築する際に、補強リブ（１）で補強された断熱パネル（３）を屋外側の堰板として型枠を形成し、この型枠内にコンクリートを打設した後に、断熱パネル（３）を型バラシすることなくその表面にモルタル又はモルタルを介したタイルなどの仕上材を固着する外断熱工法であって、補強リブ（１）を硬質木毛セメント、グラスファイバ強化コンクリートの一方からなる補強リブで形成し、断熱パネル（３）を炭酸カルシウム発泡板、気泡コンクリート板の一方で形成したことを特徴とする外断熱工法。
【請求項２】
構築するコンクリート壁（３１）を複数階用のコンクリート壁とし、下の階用の型枠を形成してコンクリートを打設した後に、上の階用の型枠を形成してコンクリートを打設し、前記下の階用の型枠形成時に断熱パネル（３）の上端面に桟木（５５）を仮固定し、その型枠内にコンクリートを打設するときに上の階の床スラブ（４３）を形成し、この床スラブ（４３）が固化した後に桟木（５５）を撤去し、この撤去でできた空隙部（５１）を前記上の階用の型枠を形成する時の断熱パネル（３）の案内部としたことを特徴とする請求項１記載の外断熱工法。
【請求項３】
構築するコンクリート壁（３１）は開口部を有し、硬質木毛セメント、グラスファイバ強化コンクリートの一方からなる板を開口部用の堰板（５７）として型枠を形成し、この開口部用の堰板（５７）と断熱パネル（３）の連結部を、補強リブ（１）を通る固定具（６３）で固定したことを特徴とする請求項１又は２記載の外断熱工法。
【請求項４】
隣接する断熱パネル（３）、（３）の継ぎ目にジョイント金具（８１）を当て、このジョイント金具（８１）を、対応する補強リブ（１）、（１）を通る固定具（８３又は８５）、（８３又は８７）で両側の隣接する断熱パネル（３）、（３）に固定したことを特徴とする請求項１、２又は３記載の外断熱工法。
【請求項５】
隣接する断熱パネル（３）、（３）の継ぎ目に、補強用の樹脂製メッシュ（９１）を固着したことを特徴とする請求項１、２、又は３記載の外断熱工法。
【請求項６】
補強リブ（１）は、矩形枠状の枠リブ部（２）と、この枠リブ部（２）の上側と下側に一体に連結された縦リブ部（４）とを具備し、枠リブ部（２）及び縦リブ部（４）は断熱パネル（３）の発砲成形時に断熱パネル（３）と一体に形成され、型枠形成時に、縦リブ部（４）に形成された貫通孔（２５）にフォームタイ（１３）を貫通して断熱パネル（３）を固定したことを特徴とする請求項１、２、３、４又は５記載の外断熱工法。
【発明の詳細な説明】
【０００１】
【発明の属する技術分野】
本発明は、コンクリート建築物（例えばマンション）の外壁となるコンクリート壁の外断熱工法に関するものである。
【０００２】
【従来の技術】
従来、外断熱工法でコンクリート建築物の外壁となるコンクリート壁を構築する場合、堰板を用いて型枠を形成し、この型枠内にコンクリートを打設し、コンクリートが固化（乾燥硬化）した後に堰板を撤去して型バラシを行い、コンクリート壁の屋外側壁面に断熱パネルを介して仕上材としてのモルタル又はモルタルを介したタイルを固着するようにしていた。
このような外断熱工法で構築されたコンクリート建築物は、コンクリート壁の屋外側に断熱パネルが配置されているので、結露を防止し、省エネルギー及び耐久性の点で優れているが、施工時に堰板を撤去して断熱パネルを固着する工程が必要となるとともに、所定回数使用後の堰板が産業廃棄物になるという問題点があった。
【０００３】
上述の問題点を解決するため、型枠自体を断熱材で構成して型バラシを不要とする外断熱工法も提案されている。
例えば、図１３（ａ）に示すように、２枚の内外装兼用下地ボード１０１をその発泡樹脂パネル１０３同志を向かい合わせ、セパレータ１０８によりコンクリート壁１００の厚さ分の間隔をあけて組立てる。ここで内外装兼用下地ボード１０１は、タイルや壁紙を直張り可能でかつコンクリート型枠として使用可能な強度を有する耐火性耐力面材１０２の裏面側に発泡樹脂パネル１０３（断熱パネル９）を貼り付けて一体に形成されたものである。
ついで、図１３（ｂ）に示すように、内外装兼用下地ボード１０１間にコンクリートを打設し、コンクリートが固化した後に、継ぎセパレータ１０７、１０７及び桟木１２２、１２２を外して壁面に内外装兼用下地ボード１０１が張り付けられたコンクリート壁１００が構築される。
ついで、図１３（ｃ）に示すように、締付具１１３をセパレータ孔１０５に挿入し、先端ネジ部をベース１０９に締め付けることにより内外装兼用下地ボード１０１をコンクリート壁１００の壁面に固定する。
ついで、図１３（ｄ）に示すように、屋外側の内外装兼用下地ボード１０１に張付けモルタル１２３を介してタイル１２４を張付け、屋内側の内外装兼用下地ボード１０１に壁紙１２５を貼る。
このため、堰板の撤去工事を不要とて工程数が減少し、工期が短縮される（特許文献１参照）。
【０００４】
【特許文献１】
特開２００１−３５５３０３（Ｐ２００１−３５５３０３Ａ）号公報（段落番号「００１７」、「００２８」、「００３０」、「００３１」、「００３５」及び「００３６」、図１及び図３）
【０００５】
【発明が解決しようとする課題】
しかしながら、図１３に示した従来例では、断熱パネルＰが発泡樹脂パネル１０３（例えばフェノール発泡樹脂）で形成されているので、コンクリートとの付着力が弱いとともに、安全使用温度が低く（例えば１００°Ｃ前後）、締付具１１３が必要となって工程数が増加したり、火災時の熱で発泡樹脂パネル１０３が膨張したり溶けたりして、耐火性耐力面材１０２とともに仕上材（モルタルやモルタルを介したタイル）がコンクリート壁１００から剥がれ落ちるおそれがあるという問題点があった。
【０００６】
本発明は上述の問題点に鑑みなされたもので、図１３に示した提案例と同様に屋外側の堰板を撤去する工程を不要とし、産業廃棄物となるのを防止することができるだけでなく、締付具１１３に相当する締付具を不要として工程数を減少でき、しかも、火災などの熱で断熱パネルが膨張したり溶けて、仕上材がコンクリート壁から剥がれ落ちるのを防止することができる外断熱工法を提供することを目的としている。
【０００７】
【課題を解決するための手段】
請求項１記載の発明は、コンクリート壁を構築する際に、補強リブで補強された断熱パネルを屋外側の堰板として型枠を形成し、この型枠内にコンクリートを打設した後に、前記断熱パネルを型バラシすることなくその表面にモルタル又はモルタルを介したタイルなどの仕上材を固着する外断熱工法であって、前記補強リブを硬質木毛セメント、グラスファイバ強化コンクリートの一方からなる補強リブで形成し、前記断熱パネルを炭酸カルシウム発泡板、気泡コンクリート板の一方で形成したことを特徴とするものである。
【０００８】
上述の構成において、型枠内にコンクリートを打設した後に断熱パネルを型バラシすることなくその表面にモルタル又はモルタルを介したタイルなどの仕上材を固着したので、屋外側の堰板を撤去する工程を不要として工程数を減少できるとともに、屋外側の堰板が産業廃棄物となるのを防止することができる。
しかも、補強リブを無機質のセメントを主体とした硬質木毛セメント、無機質のガラス繊維及びセメントを主体とした硬質木毛セメントｌの一方で形成し、断熱パネルを無機質の炭酸カルシウム発泡板、気泡コンクリート板の一方で形成したので、コンクリートやモルタルとの付着力を大きくして締付具を不要とすることができるとともに、火災などの熱で断熱パネルが膨張したり溶けるのを防止することができる。
【０００９】
請求項２記載の発明は、請求項１記載の発明において、複数階用のコンクリート壁を構築する際に、断熱パネルの上方を補強して型枠強度を大きくするとともに、床スラブの形成を容易とし、さらに型枠形成を容易とするために、下の階用の型枠を形成してコンクリートを打設した後に、上の階用の型枠を形成してコンクリートを打設し、前記下の階用の型枠形成時に断熱パネルの上端面に桟木を仮固定し、その型枠内にコンクリートを打設するときに前記上の階の床スラブを形成し、この床スラブが固化した後に前記桟木を撤去し、この撤去でできた空隙部を前記上の階用の型枠を形成する時の断熱パネルの案内部としたことを特徴とするものである。
【００１０】
請求項３記載の発明は、請求項１又は２記載の発明において、コンクリート壁が窓用の開口部を有する際に、開口部用の堰板と断熱パネルの連結強度を大きくするとともに、前記開口部用の堰板にモルタルを直に付着し、されにその付着力を大きくするために、硬質木毛セメント、グラスファイバ強化コンクリートの一方からなる板を前記開口部用の堰板として型枠を形成し、この開口部用の堰板と断熱パネルの連結部を、補強リブを通る固定具で固定したことを特徴とするものである。
【００１１】
請求項４記載の発明は、請求項１、２又は３記載の発明において、隣接する断熱パネルの継ぎ目の連結強度を大きくするために、隣接する断熱パネルの継ぎ目にジョイント金具を当て、このジョイント金具を、対応する補強リブを通る固定具で両側の隣接する断熱パネルに固定したことを特徴とするものである。
【００１２】
請求項５記載の発明は、請求項１、２又は３記載の発明において、隣接する断熱パネルの継ぎ目の連結強度を大きくするために、隣接する断熱パネルの継ぎ目に、補強用の樹脂製メッシュを固着したことを特徴とするものである。
【００１３】
請求項６記載の発明は、請求項１、２、３、４又は５記載の発明において、縦端太を省略して工程数を減少させ、コストを低減させるために、補強リブが、矩形枠状の枠リブ部と、この枠リブ部の上側と下側に一体に連結された縦リブ部とを具備し、前記枠リブ部及び縦リブ部は断熱パネルの発砲成形時に断熱パネルと一体に形成され、型枠形成時に、縦リブ部に形成された貫通孔にフォームタイを貫通して断熱パネルを固定したことを特徴とするものである。
【００１４】
【発明の実施の形態】
以下、本発明による外断熱工法の一実施形態例を図面を用いて説明する。
図１及び図２は第１実施形態例を示すもので、これらの図において、１は補強リブ、３は断熱パネル、５は合板製の屋内側の堰板、７はセパレータ、９はジョイナー、１１はコーン、１３，１５はフォームタイ、１７は座金、１９は縦端太としての縦パイプ、２１は横端太としての横パイプ、２３はナットである。
【００１５】
補強リブ１は硬質木毛セメントで形成され、図２に示すように、縦がＡ（例えばＡ＝２９００ｍｍ）、横がＢ（例えばＢ＝６００ｍｍ）の矩形枠状の枠リブ部２と、この枠リブ部２の上側と下側の略中央部に一体に連結された縦リブ部４とを具備し、枠リブ部２はそのリブ幅がＣ（例えばＣ＝３０ｍｍ）、リブ厚がＤ（例えばＤ＝２０ｍｍ）に形成され、縦リブ部４はリブ幅がＥ（例えばＥ＝６０ｍｍ）、リブ厚がＤに形成されている。
【００１６】
断熱パネル３は炭酸カルシウム発泡板で形成され、例えばロックセルボード（フジ化成工業株式会社の商品名）で形成されている。
断熱パネル３は、図２に示すように、発泡成形によって縦がＡ横がＢ、板厚がＦ（例えばＦ＝５０ｍｍ）の矩形板状に形成されている。
補強リブ１は、断熱パネル３の発泡成形時に一体成形されるか、又は断熱パネル３の成形後に埋め込みなどによって一体に組込まれている。
縦リブ部４と、断熱パネル３の対応する部分には、両端部からの距離をＧ（例えばＧ＝２００ｍｍ）とし、ピッチをＰ（例えばＰ＝５００ｍｍ）とした複数の貫通孔２５が形成され、この貫通孔２５はフォームタイ１３を貫通可能な大きさに形成され、その断熱パネル３側の開口部には、ジョイナー９のフランジ側係合部を係合可能な係合段部２６が形成されている。
屋内側の堰板５には、調整用のボルト２７を貫通可能な貫通孔２９が形成されている。
【００１７】
つぎに、図１の（ａ）〜（ｃ）を用いてコンクリート壁３１を構築する外断熱工法について説明する。
（１）図１（ａ）に示すように、補強リブ１で補強された断熱パネル３を屋外側の堰板として屋内側の堰板５と向かい合わせ、セパレータ７により構築するコンクリート壁３１の厚さ分の間隔を開けて型枠を組み立てる。
なお、型枠組立時に鉄筋も組立てられが、図示の便宜上省略する。以下の例でも同様である。
【００１８】
このとき、セパレータ７の屋外側のネジ部をジョイナー９の屋内側のネジ孔に螺合し、このジョイナー９の屋外側の係合部を断熱パネル３の係合段部２６に係合し、フォームタイ１３を貫通孔２５に貫通させ、その先端側のネジ部をジョイナー９の屋外側のネジ孔に螺合する。
そして、フォームタイ１３の上側と下側に支保工としての横パイプ２１、２１を設け、この横パイプ２１、２１に係合する座金１７を介してフォームタイ１３の基端側にナット２３を螺合するこれによりジョイナー９と横パイプ２１、２１の間に、補強リブ１で補強されて断熱パネル３が固定される。この固定時には、補強リブ１が支保工の一部（後述する縦パイプ１９に相当）として機能しているので、後述する縦パイプ１９、１９が不要となる。
【００１９】
また、セパレータ７の屋内側のネジ部をコーン１１の屋外側のネジ孔に螺合し、このコーン１１の屋内側のネジ孔に堰板５の貫通孔２９を貫通するボルト２７の一側を螺合し、このボルト２７の他側をフォームタイ１５の先端側のネジ孔に螺合する。
そして、フォームタイ１５の左右と上下に支保工としての縦パイプ１９、１９と横パイプ２１、２１を設け、横パイプ２１、２１に係合する座金１７を介してフォームタイ　１５の基端側に　ナット２３を螺合する。これによりコーン１１と縦パイプ１９、１９の間に堰板５が固定される。
【００２０】
（２）ついで、断熱パネル３と堰板５の間にコンクリートを打設し、コンクリートが固化した後に堰板５と支保工としての縦パイプ１９、１９及び横パイプ２１〜２１を撤去し、図１（ｂ）に示すように、屋外側の壁面に補強リブ１で補強された断熱パネル３の固着したコンクリート壁３１が構築される。
【００２１】
（３）ついで、補強リブ１及び断熱パネル３の貫通孔２５と、コーン１１のネジ孔に発泡断熱材３３、３３を充填し、補強リブ１及び断熱パネル３の屋外側に張付けモルタル３５を介して仕上材としてのタイル３７〜３７を固着し、コンクリート壁３１の屋内側の壁面に内装材としての壁紙３９を固着する。
【００２２】
上述のように、補強リブ１で補強された断熱パネル３を屋外側の堰板としているので、従来必要としていた屋外用の堰板を撤去する工程が必要となる。
しかも、断熱パネル３が無機質の炭酸カルシウム発泡板で形成され、補強リブ１が無機質のセメントを主体とした硬質木毛セメントで形成されているので、断熱パネル３とコンクリート壁３１の付着力と、補強リブ１及び断熱パネル３と張付けモルタル３５の付着力とを大きくできるとともに、使用安全温度を高くして火災などの熱で断熱パネル３が膨張したり溶けたりするのを防止できる。
【００２３】
前記第１実施形態例では、縦リブ部４を１本とし、屋外側の堰板の支保工の一部である縦パイプ１９、１９を不要とするために、縦リブ部４にフォームタイ１３を貫通させる貫通孔２５を形成した場合について説明したが、本発明はこれに限るものでなく、縦リブ部４を複数とした場合についても利用することができ、又はフォームタイ１３を貫通させる貫通孔２５を断熱パネル３に形成した場合についても利用することができる。
例えば、図４に示すように、補強リブ１を、枠リブ部２と、この枠リブ部２の左側と右側の間に等間隔Ｈで配設された２本の縦リブ部４、４とで形成し、断熱パネル３のうちの縦リブ部４、４の間に位置する部分に、縦方向にピッチをＰとした貫通孔２５を形成した場合についても利用することができる。
【００２４】
図３は上述の変形例における外断熱工法の一例を示すもので、同図（ａ）〜（ｃ）を用いて説明する。
（１）まず、図３（ａ）に示すように、補強リブ１で補強された断熱パネル３を屋外側の堰板として、構築するコンクリート壁３１用の型枠を組み立てる。
このとき、フォームタイ１３の左右と上下に支保工としての縦パイプ１９、１９と横パイプ２１、２１を設けている点と、貫通孔２５が断熱パネル３のみに形成されている点とが図１（ａ）の場合と相違している。
【００２５】
（２）ついで、断熱パネル３と堰板５の間にコンクリートを打設し、コンクリートが固化した後に堰板５とフォームタイ１３、１５、縦パイプ１９〜１９、横パイプ２１〜２１を撤去し、図３（ｂ）に示すように、屋外側の壁面に補強リブ１で補強された断熱パネル３の固着したコンクリート壁３１が構築される。
【００２６】
（３）ついで、断熱パネル３の貫通孔２５と、コーン１１のネジ孔に発泡断熱材３３、３３を充填し、補強リブ１及び断熱パネル３の屋外側に張付けモルタル３５を介してタイル３７〜３７を固着し、コンクリート壁３１の屋内側の壁面に壁紙３９を固着する。
【００２７】
上述のように構成されているので、図１、図２に示した実施形態例と同様に、従来必要としていた屋外用の堰板を撤去する工程が不要になるとともに、断熱パネル３とコンクリート壁３１の付着力と、補強リブ１及び断熱パネル３と張付けモルタル３５の付着力とを大きくできるとともに、安全使用温度を高くして火災などの熱で断熱パネル３が膨張したり溶けたりするのを防止できる。
【００２８】
図５は本発明の第２実施形態例を示すもので、この図において図１〜図４と同一部分は同一符号とする。
図５は、複数階用のコンクリート壁（３１）を構築する際に、下の階のコンクリート壁（３１）が固化した後に上の階のコンクリート壁（３１）を構築する例を示すもので、断熱パネル３を屋外側の堰板として型枠を形成し、この型枠内にコンクリートを打設する点は、図３、図４に示した例と同様であるが、以下の点に特徴を有する。
【００２９】
（１）説明の便宜上、図５では、１階（下の階の一例）のコンクリート壁及びコンクリート梁（図示省略）と、２階の床スラブ４３とが固化した後にので支保工を撤去し、２階（上の階の一例）のコンクリート壁３１、コンクリート梁４１と３階の床スラブ４３を構築する場合について説明する。
【００３０】
（２）１階用の断熱パネル３の屋外側上部に、受け金具４５と釘（又はネジ）４７〜４７を用いて２階用の受材４９を仮固定し、この受材４９の上に桟木５３を介して屋外側の縦パイプ１９、１９を立設する。また、受材４９と床スラブ４３の間で断熱パネル３の上端部に形成された空隙部５１に、２階用の断熱パネル３の下端部を案内して挿入し、断熱パネル３の上端部に桟木５５を釘（図示省略）で固定し、床スラブ４３の所定位置に桟木５３を介して屋内側の縦パイプ１９、１９を立設し、図１〜図４と同様にして、図５に示すような型枠を組み立てる。
【００３１】
（３）ついで、型枠内にコンクリートを打設し、２階用のコンクリート壁３１、コンクリート梁４１と３階用の床スラブ４３が構築される。
このとき、断熱パネル３の上端部が桟木５５で補強されているので強度を大きくするとともに、床スラブ４３形成時に桟木５５を水平基準とすることができる。
【００３２】
（４）２階用のコンクリート壁３１及びコンクリート梁４１と３階用の床スラブ４３が固化した後に、支保工としての縦パイプ１９〜１９，横パイプ２１〜２１や、受け金具４５、受材４９、桟木５３、５３、５５を撤去し、３階用のコンクリート壁及びコンクリート梁と４階用の床スラブを構築する。このとき、２階用の断熱パネル３の屋外側上部に仮固定した３階用の受材４９と３階用の床スラブ４３の間に形成された空隙部５１を、３階用の断熱パネル３の下端部の案内部として利用することができる。この空隙部５１は、２階用の断熱パネル３の上端部に固定された桟木５５を、コンクリート固化後に撤去することによって、受材４９と床スラブ４３の間に形成される。
【００３３】
図６〜図９は、本発明の第３実施形態例を示すもので、これらの図において図１〜図４と同一部分は同一符号とする。
図６〜図９は構築するコンクリート壁（３１）が開口部（例えば窓用の開口部）を有する例を示すもので、硬質木毛セメントで形成された板を開口部用の堰板５７として型枠を形成し、この型枠内にコンクリートを打設する点は図１、図２に示した例と同様であるが、以下の点に特徴を有する。
【００３４】
（１）図示の便宜上、図６、図７では、縦パイプ１９〜１９、横パイプ２１〜２１などの支保工やセパレータ７、ジョイナー９、コーン１１、　フォームタイ１３、１５、座金１７、ナット２３などの型枠形成部品の図示を省略して開口部を有するコンクリート壁３１を構築する場合について説明する。
【００３５】
（２）図６に示すように、屋外側の堰板として複数の断熱パネル３〜３が並列に配設され、この断熱パネル３〜３に形成された開口部５９の内周端面付近に沿って開口部用の堰板５７が固定される。
堰板５７は矩形枠状に形成され、左側、右側及び上側の板部はその板面が開口面に対してほぼ垂直に配設され、下側の板部はその板面が屋外側に向うに従って下方へ下がる傾斜面に形成されている。
堰板５７の左側、右側及び上側の板部の板面の屋外側部分には、硬質木毛セメントで逆Ｕ字状に形成された補強枠６１が固着されている。
【００３６】
堰板５７の屋外側の端面は、少なくとも補強リブ１〜１を通る釘（又はネジ）６３〜６３によって断熱パネル３〜３に固定されている。詳しくは、堰板５７の上側板部の屋外側端面は、図７（ａ）の上側に示すように、対応する枠リブ部２〜２の下側板部を通る釘（又はネジ）６３〜６３によって対応する断熱パネル３〜３に固定され、堰板５７の左側と右側板部の屋外側端面は、図７（ｂ）に示すように、対応する枠リブ部２〜２の左側板部と右側板部を通る釘（又はネジ）６３〜６３によって対応する断熱パネル３〜３に固定され、堰板５７の下側板部の屋外側端面は、図７（ａ）の下側に示すように、対応する縦リブ部４〜４を通る釘（又はネジ）６３〜６３によって対応する断熱パネル３〜３に固定される。
【００３７】
（３）ついで、型枠内にコンクリートを打設し、コンクリートが固化した後に、図示を省略した支保工や型枠形成部品と堰板５を撤去し、図７の（ａ）（ｂ）で堰板５を取り外したようなコンクリート壁３１が構築される。すなわち、屋外側の壁面には補強リブ１で補強された断熱パネル３が固着し、開口部５９の内周端面付近には補強枠６１で補強された堰板５７が固着したコンクリート壁３１が構築さる。この堰板５７は、窓を取り付けるための開口枠となり、型バラシ不要となる。
【００３８】
（４）ついで、図８、図９に示すように、パーライトモルタル６５の充填によって、開口枠としての堰板５７の下側板部、左側板部及び右側板部の内周端面に水切り６７を固着するとともに、堰板５７の内周端面に窓枠（例えばアルミサッシュ枠）６９を固着し、さらに堰板５７の屋内側内周端面に四方額縁７１を固着する。
また、補強リブ１及び断熱パネル３の屋外側露出面と、補強枠６１の屋外側露出面には、図８、図９に示すように、張付けモルタル３５を介してタイル３７〜３７を固着し、コンクリート壁３１の屋内側の壁面には、壁紙３９を固着する。図８、図９において７３、７３は現場発泡で充填された硬質発砲ウレタン、７５〜７５はシーリング材である。
【００３９】
図１０及び図１１は本発明の第４実施形態例を示すもので、これらの図において図１〜図１７と同一部分は同一符号とする。
図１０及び図１１は外断熱工法の型枠形成時において隣接する断熱パネル３、３の継ぎ目の連結強度を大きくするための例を示すもので、図１０は、隣接する断熱パネル３、３を板面が同一平面となるように連結した場合を示し、図１１は、隣接する断熱パネル３、３を板面が直角となって角部が入隅部となるように連結した場合を示すものである。
図１０では、同図（ｂ）に示すようなジョイント金具８１を、同図（ａ）に示すように隣接する断熱パネル３、３の継ぎ目に当て、このジョイント金具８１を断熱パネル３、３及び補強リブ１、１を通る釘（又はネジ）８３、８３によって両側の断熱パネル３、３に固定することによって継ぎ目の連結強度を大きくすることができる。
図１１では、ジョイント金具８１を隣接する断熱パネル３、３の入隅部の継ぎ目に当て、このジョイント金具８１を補強リブ１を通る釘（又はネジ）８５と、断熱パネル３及び補強リブ１を通る釘（又はネジ）８７によって両側の断熱パネル３、３に固定することによって継ぎ目の連結強度を大きくすることができる。図１１において、８９はコンクリート躯体（例えばコンクリート壁の入隅部分）を表す。
【００４０】
図１２は本発明の第５実施形態例を示すもので、この図において図１〜図７と同一
部分は同一符号とする。
図１２は、外断熱工法の型枠形成時において、隣接する断熱パネル３、３を板面が直角となって角部が出隅部となるように連結した場合に、隣接する断熱パネル３、３の継ぎ目の連結強度を大きくするための例を示すもので、隣接する断熱パネル３、３の出隅部の継ぎ目を補強リブ１と補強リブ１及び断熱パネル３を通る釘（又はネジ）８９で固定するとともに、この出隅部の継ぎ目に釘やネジ（図示省略）によって樹脂製メッシュ９１を固着することによって継ぎ目の連結強度を大きくすることができる。この場合、この樹脂製メッシュ９１の表面に仕上材としてのモルタル又は張付けモルタル３５を介したタイル３７〜３７をより強固に固着することができる。
図１２において、９３はコンクリート躯体（例えばコンクリート壁の出隅部分）を表す。
【００４１】
前記実施形態例では、補強リブ１が硬質木毛セメントで形成された場合について説明したが、本発明はこれに限るものでなく、補強リブ１がグラスファイバ強化コンクリートで形成された場合についても利用することができる。
【００４２】
前記実施形態例では、断熱パネル３が炭酸カルシウム発泡板で形成された場合について説明したが、本発明はこれに限るものでなく、断熱パネル３が気泡コンクリート板で形成された場合についても利用することができる。
【００４３】
前記実施形態例では、屋内側の堰板を汎用の合板で形成して、型バラシが必要な場合について説明したが、本発明はこれに限るものでなく、屋内側の堰板を、硬質木毛セメント板又はグラスファイバ強化コンクリート板で形成し、屋内側の堰板についても型バラシを不要とした場合についても利用することができる。
【００４４】
【発明の効果】
請求項１記載の発明は、補強リブ（１）で補強された断熱パネル（３）を屋外側の堰板として型枠を形成し、コンクリート打設後に断熱パネル（３）を型バラシすることなくその表面にモルタルやモルタルを介したタイルなどの仕上材を固着する構成としたので、屋外側の堰板を撤去する工程が不要となり、屋外側の堰板が産業廃棄物になるのを防止できる。
しかも、補強リブ（１）を無機質のセメントを主体とした硬質木毛セメント、無機質のガラス繊維及びセメントを主体としたグラスファイバ強化コンクリートの一方からなる補強リブで形成し、断熱パネル（３）を無機質の炭酸カルシウム発泡板、気泡コンクリート板の一方で形成した。このため、コンクリートやモルタルとの付着力を大きくすることができ、図１３に示した従来例のような締付具を不要とし、工程数を減少してコストを低減することができるとともに、安全使用温度を高くして火災などの熱で断熱パネル（３）が膨張したり溶けてモルタルやタイルがコンクリート壁（１３）から剥がれ落ちるのを防止できる。
【００４５】
請求項２記載の発明は、請求項１記載の発明において、構築するコンクリート壁（３１）を複数階用のコンクリート壁（３１）とし、下の階用の型枠形成時に断熱パネル（３）の上端面に桟木（５５）を仮固定し、コンクリート打設時に上の階の床スラブ（４３）を形成し、この床スラブ（４３）固化後に桟木（５５）を撤去し、撤去でできた空隙部（５１）を上の階用の型枠形成時の断熱パネル（３）の案内部としたので、断熱パネル（３）の上方を桟木（５５）で補強して型枠強度を大きくするとともに、床スラブ（４３）形成時に桟木（５５）を水平基準として床スラブ（４３）の形成を容易にすることができ、しかも、桟木（５５）撤去後の空隙部（５１）を案内部として上の階用の型枠形成を容易にすることができる。
【００４６】
請求項３記載の発明は、請求項１又は２記載の発明において、構築するコンクリート壁（３１）が開口部を有し、硬質木毛セメント、グラスファイバ強化コンクリートの一方からなる板を開口部用の堰板（５７）として型枠を形成し、開口部用の堰板（５７）と断熱パネル（３）の連結部を、補強リブ（１）を通る固定具（６３）で固定したので、補強リブ（１）を利用して開口部用の堰板（５７）と断熱パネル（３）の連結強度を大きくすることができるとともに、この開口部用の堰板（５７）にモルタルを直に付着することができ、しかも、その付着力を大きくすることができる。
【００４７】
請求項４記載の発明は、請求項１、２又は３記載の発明において、隣接する断熱パネル（３）、（３）の継ぎ目にジョイント金具（８１）を当て、このジョイント金具（８１）を、対応する補強リブ（１）、（１）を通る固定具（８３又は８５）、（８３又は８７）で両側の断熱パネル（３）、（３）に固定したので、隣接する断熱パネル（３）、（３）の継ぎ目の連結強度を大きくすることができる。
【００４８】
請求項５記載の発明は、請求項１、２又は３記載の発明において、隣接する断熱パネル（３）、（３）の継ぎ目に補強用の樹脂製メッシュ（９１）を固着したので、隣接する断熱パネル（３）、（３）の継ぎ目の連結強度を大きくすることができる。
【００４９】
請求項６記載の発明は、請求項１、２、３、４又は５記載の発明において、補強リブ（１）が枠リブ部（２）と縦リブ部（４）を具備し、枠リブ部（２）及び縦リブ部（４）が断熱パネル（３）の発泡成時に断熱パネル（３）と一体に形成され、型枠形成時に縦リブ部（４）の貫通孔（２５）にフォームタイ（１３）を貫通して断熱パネル（３）を固定したので、屋外側堰板を支持する縦端太（１９）を省略して工程数を減少させ、コストを低減させることができる。
【図面の簡単な説明】
【図１】本発明による外断熱工法の第１実施形態例を示す断面図である。
【図２】図１中の補強リブ１で補強された断熱パネル３を示すもので、（ａ）は一部を省略した外観の斜視図、（ｂ）は（ａ）を貫通孔２５を通る横断面図で切断した要部拡大斜視図である。
【図３】図１に示す例の変形例を示す断面図である。
【図４】図３中の補強リブ１で補強された断熱パネル３を示すもので、（ａ）は一部を省略した外観の斜視図、（ｂ）は（ａ）を貫通孔２５を通る横断面図で切断した要部拡大斜視図である。
【図５】本発明による外断熱工法の第２実施形態例を示す図である。
【図６】本発明による外断熱工法の第３実施形態例を示す図である。
【図７】図６の拡大断面図を示すもので、（ａ）は、Ａ−Ａ線拡大断面図、（ｂ）は、Ｂ−Ｂ線拡大断面図である。
【図８】図６の開口部５９内に窓枠６９を固着するとともに、補強リブ１及び断熱パネル３の屋外側に仕上材を固着した状態を示すもので、図７（ａ）に対応させた拡大断面図である。
【図９】図６の開口部５９内に窓枠６９を固着するとともに、補強リブ１及び断熱パネル３の屋外側に仕上材を固着した状態を示すもので、図７（ｂ）に対応させた拡大断面図である。
【図１０】本発明による外断熱工法の第４実施形態例を示すもので、（ａ）は要部拡大断面図、（ｂ）は（ａ）中のジョイント金具８１を示す斜視図である。
【図１１】図１０に示す例の変形例を示す要部拡大断面図である。
【図１２】本発明による外断熱工法の第５実施形態例を示す要部拡大断面図である。
【図１３】従来例を示す断面図である。
【符号の説明】
１…補強リブ、　２…補強リブ１の枠リブ部、　３…断熱パネル、　４…補強リブ１の縦リブ部、　５…屋内側の堰板、　７…セパレータ、　９…ジョイナー、　１１…コーン、　１３、１５…フォームタイ、　１７…座金、　１９…縦パイプ、２１…横パイプ、　２５…貫通孔、　３１…コンクリート壁、　３５張付けモルタル、　３７…タイル、　４３…床スラブ、　４５…受け金具、　４７、６３、８３、８５、８７、８９…釘（又はネジ）、　４９…受材、　５１…空隙部、　５５…桟木、　５７…開口部用の堰板、　５９…開口部、　６１…補強枠、　６９…窓枠、　８１…ジョイント金具、　６１…樹脂製メッシュ
【図１】
2004137766.tif 000003
【図２】
2004137766.tif 000004
【図３】
2004137766.tif 000005
【図４】
2004137766.tif 000006
【図５】
2004137766.tif 000007
【図６】
2004137766.tif 000008
【図７】
2004137766.tif 000009
【図８】
2004137766.tif 000010
【図９】
2004137766.tif 000011
【図１０】
2004137766.tif 000012
【図１１】
2004137766.tif 000013
【図１２】
2004137766.tif 000014
【図１３】
2004137766.tif 000015